(57)【要約】【課題】後付け可能な物品保持装置を、アームレストに容易かつ安定的に装着できるようにする。【解決手段】後端１０をアームレストＲの受け入れ開放部１１とした本体部１の前端１２側に物品保持部２を備えさせてなる。本体部１は、アームレストＲの下部Ｒｂに対する下側当接部１３を有すると共に、この下側当接部１３と物品保持部２との間にアームレストＲの上部Ｒｃに対する上側当接部１４を有し、かつ、下側当接部１３の上方に受け入れ開放部１１に連続した上部開放部１５を有している。斜めにした本体部１内に上部開放部１５を通じてアームレストＲを導入した状態からの略水平位置に向けた本体部１の回動操作により下側当接部１３と上側当接部１４との間でアームレストＲを挟み込むようになっている。【選択図】図２
2014065360.tif 000002
【特許請求の範囲】
【請求項１】
後端をアームレストの受け入れ開放部とした本体部の前端側に物品保持部を備えさせてなり、
前記本体部は、アームレストの下部に対する下側当接部を有すると共に、この下側当接部と物品保持部との間にアームレストの上部に対する上側当接部を有し、かつ、前記下側当接部の上方に前記受け入れ開放部に連続した上部開放部を有しており、
前記前端を上方に位置させるように斜めにした本体部内に前記上部開放部を通じてアームレストを導入した状態からの略水平位置に向けた本体部の回動操作により前記下側当接部と上側当接部との間でアームレストを挟み込むようになっていると共に、
前記下側当接部及び上側当接部の双方又は一方に、前記回動によりアームレスト側に備えられた被係合部に係合される係合部が備えられていることを特徴とするアームレスト用物品保持装置。
【請求項２】
前端を上方に位置させるように斜めにした本体部内に上部開放部を通じてアームレストを導入した状態からの略水平位置に向けたこの本体部の回動操作を、上側当接部の後端を支点としてなせるようにしてあることを特徴とする請求項１に記載のアームレスト用物品保持装置。
【請求項３】
係合部及び被係合部のいずれか一方は、これらの他方の一部の受入部を有し、この一部の受入部への受け入れを弾性変形によって許容すると共に、受け入れきった位置での弾性復帰により前記一部に係合するようになっていることを特徴とする請求項１又は請求項２に記載のアームレスト用物品保持装置。
【請求項４】
本体部の左右寸法よりも物品保持部の左右寸法が大きくなっていると共に、本体部におけるアームレストを備えたシートの着座側に位置される内側面と反対の外側面より外方に物品保持部の外側面が位置されるようになっていることを特徴とする請求項１〜請求項３のいずれか１項に記載のアームレスト用物品保持装置。
【請求項５】
本体部は、左右の側板部を有し、下側当接部及び上側当接部の形成箇所においてはアームレストに三方から接するチャンネル材状を呈していることを特徴とする請求項１〜請求項４のいずれか１項に記載のアームレスト用物品保持装置。
【請求項６】
物品保持部には、容器の底部側を上方から受け入れる凹状部が備えられていることを特徴とする請求項１〜請求項５のいずれか１項に記載のアームレスト用物品保持装置。
【発明の詳細な説明】
【技術分野】
【０００１】
この発明は、自動車などの乗り物のシートを構成するアームレストに取り付けられて用いられる物品保持装置に関する。
【背景技術】
【０００２】
ベルトによってアームレストに取り付けられるベース部と、このベース部に設けられたフックに掛けられる物品保持部とからなる物品ホルダーがある。（特許文献１参照）かかる物品ホルダーは、自動車のシートに備えられたアームレストに飲料容器を保持する物品保持部を後付け可能とするものであるが、前記ベース部をベルトを利用してアームレストに適切に取り付けることは必ずしも容易でなく、また、ベルトによる取り付けは経時的に緩みなどを生じやすい。
【先行技術文献】
【特許文献】
【０００３】
【特許文献１】特開平１０−２９１４４２号公報
【発明の概要】
【発明が解決しようとする課題】
【０００４】
この発明が解決しようとする主たる問題点は、この種の後付け可能な物品保持装置を、アームレストに容易かつ安定的に装着できるようにする点にある。
【課題を解決するための手段】
【０００５】
前記課題を解決するために、この発明あっては、アームレスト用物品保持装置を、後端をアームレストの受け入れ開放部とした本体部の前端側に物品保持部を備えさせてなり、
前記本体部は、アームレストの下部に対する下側当接部を有すると共に、この下側当接部と物品保持部との間にアームレストの上部に対する上側当接部を有し、かつ、前記下側当接部の上方に前記受け入れ開放部に連続した上部開放部を有しており、
前記前端を上方に位置させるように斜めにした本体部内に前記上部開放部を通じてアームレストを導入した状態からの略水平位置に向けた本体部の回動操作により前記下側当接部と上側当接部との間でアームレストを挟み込むようになっていると共に、
前記下側当接部及び上側当接部の双方又は一方に、前記回動によりアームレスト側に備えられた被掛合部に係合される係合部が備えられているものとした。
【０００６】
かかる構成によれば、前記上側当接部下にアームレストの突きだし端側を位置させ、かつ、前記下側当接部上にアームレストの前記突きだし端よりも基部側に位置される箇所を位置させるように本体部内に前記のようにアームレストを導入させた状態からの前記回動操作によってアームレストに物品保持装置をワンタッチで且つ安定的に装着することができる。この装着状態は、前記係合部と被係合部との係合により強固に維持される。かかる係合部及び被掛合部のいずれか一方は、これらの他方の一部の受入部を有し、この一部の受入部への受け入れを弾性変形によって許容すると共に、受け入れきった位置での弾性復帰により前記一部に係合するようにしておくことが、この発明の好ましい態様の一つである。
【０００７】
前端を上方に位置させるように斜めにした前記本体部内に上部開放部を通じてアームレストを導入した状態からの略水平位置に向けたこの本体部の回動操作を、上側当接部の後端を支点としてなせるようにしておくことが、この発明の好ましい態様の一つである。
【０００８】
また、前記本体部の左右寸法よりも物品保持部の左右寸法を大きくしておくと共に、本体部におけるアームレストを備えたシートの着座側に位置される内側面と反対の外側面より外方に物品保持部の外側面が位置されるようにしておくことが、この発明の好ましい態様の一つである。このようにした場合、物品保持装置における物品保持部がシートに着座する際などにできるだけ邪魔にならないようにすることができる。
【０００９】
また、前記本体部は、左右の側板部を有し、下側当接部及び上側当接部の形成箇所においてはアームレストに三方から接するチャンネル材状を呈するようにしておくことが、この発明の好ましい態様の一つである。このようにした場合、アームレストに対し物品保持装置を左右方向にガタつきなく装着させることができる。
【００１０】
前記物品保持部に、容器の底部側を上方から受け入れる凹状部を備えさせるようにしておくこともある。このようにした場合、アームレストの突きだし端の前方において物品保持装置によって容器を保持することができる。
【発明の効果】
【００１１】
この発明によれば、シートを構成する既設のアームレストを利用して容器などの各種物品を保持する物品保持装置を、かかるアームレストに容易かつ安定的に装着させることができる。
【図面の簡単な説明】
【００１２】
【図１】図１はこの発明の一実施の形態にかかる物品保持具をアームレストに取り付けた状態を示した斜視構成図である。
【図２】図２は前記物品保持具をアームレストに取り付けた状態を示した側面図である。
【図３】図３は図２におけるＡ−Ａ線位置での要部断面図である。
【図４】図４は前記物品保持具をアームレストに取り付けた状態を示した平面図である。
【図５】図５は斜めにした前記物品保持具の本体部内に上部開放部を通じてアームレストを導入した状態を示した側面図である。
【図６】図６は斜めにした前記物品保持具の本体部内に上部開放部を通じてアームレストを導入した状態を示した斜視図である。
【図７】図７は前記物品保持具とアームレストとを分離した状態で示した斜視図である。
【図８】図８は前記物品保持部の係合部とアームレストの被係合部とを構成する各部材を理解し易いようにこれらを分離した状態で拡大して示した斜視図である。
【発明を実施するための形態】
【００１３】
以下、図１〜図８に基づいて、この発明の典型的な実施の形態について、説明する。この実施の形態にかかるアームレストＲ用物品保持装置Ｈは、典型的には、自動車などの乗り物のシートＳを構成するアームレストＲであって、基部ＲａをシートＳの背もたれに一体化させて前方に向けて突き出す前後方向に長い腕状のアームレストＲに取り付けられて用いられるものである。
【００１４】
かかる物品保持装置Ｈは、本体部１と、物品保持部２とを備えている。
【００１５】
物品保持部２は、後端１０をアームレストＲの受け入れ開放部１１とした本体部１の前端１２側に備えられている。図示の例では、本体部１は、前後方向に長く構成され、物品保持部２はこの本体部１の前端１２に一体化されている。これにより、本体部１を利用してアームレストＲに物品保持装置Ｈを取り付けた状態において、アームレストＲの突きだし端Ｒａの前方に物品保持部２が位置されるようになっている。
【００１６】
この実施の形態にあっては、本体部１の前端１２に、上端を開放させた有底の円筒状体２ａが一体化されている。そして、この円筒状体２ａ内に容器の底部側を上方から受け入れさせることにより、アームレストＲの突きだし端Ｒａの前方において一つの容器を保持できるようになっている。すなわち、この実施の形態にあっては、かかる円筒状体２ａが前記物品保持部２として機能するようになっており、この円筒状体２ａによって物品保持部２は容器の底部側を上方から受け入れる凹状部２ｂを有するものとなっている。
【００１７】
一方、本体部１は、アームレストＲの下部Ｒｂに対する下側当接部１３を有すると共に、この下側当接部１３と物品保持部２との間にアームレストＲの上部Ｒｃに対する上側当接部１４を有し、かつ、前記下側当接部１３の上方に前記受け入れ開放部１１に連続した上部開放部１５を有している。この実施の形態にあっては、さらに、前記上側当接部１４の下方には、下側当接部１３の前端１３ａと物品保持部２との間に亘って下部開放部１６が形成されている。
【００１８】
そして、前記前端１２を上方に位置させるように斜めにした本体部１内に前記上部開放部１５を通じて、（図示の例では、かかる上部開放部１５及び受け入れ開放部１１の双方を利用して）アームレストＲを導入した状態（図５、図６）からの略水平位置に向けたこの本体部１の回動操作により前記下側当接部１３と上側当接部１４との間でアームレストＲを挟み込むようになっている。これにより、この実施の形態にあっては、前記上側当接部１４下にアームレストＲの突きだし端Ｒａ側を位置させ、かつ、前記下側当接部１３上にアームレストＲの前記突きだし端Ｒａよりも基部Ｒｄ側に位置される箇所を位置させるように本体部１内に前記のようにアームレストＲを導入させた状態（図５、図６）からの前記回動操作によってアームレストＲに物品保持装置Ｈをワンタッチで且つ安定的に装着可能となっている。（図２）なお、図示の例では、前記前端１２を上方に位置させるように斜めにした本体部１内にアームレストＲを導入した状態（図５、図６）において、下部開放部１６によってアームレストＲの突きだし端Ｒａ側の下部Ｒｂが逃がされるようになっている。
【００１９】
なお、この実施の形態にあっては、前記のように斜めにした本体部１内にアームレストＲを導入した状態からの略水平位置に向けたこの本体部１の回動操作を、前記上側当接部１４の後端１４ａを支点としてなせるようにしてある。（図５）
【００２０】
具体的には、本体部１は、前後方向に長い左右の側板部１７、１７を有している。下側当接部１３及び上側当接部１４はいずれも、板面を横向きに配した板状をなしている。下側当接部１３は、その左側の縁部を左側の側板部１７の下縁に一体化させ、かつ、その右側の縁部を右側の側板部１７の下縁に一体化させている。また、上側当接部１４は、その左側の縁部を左側の側板部１７の上縁に一体化させ、かつ、その右側の縁部を右側の側板部１７の上縁に一体化させている。これによって、本体部１は、下側当接部１３及び上側当接部１４の形成箇所においてはアームレストＲに三方から接するチャンネル材状を呈している。これにより、アームレストＲに対し物品保持装置Ｈは左右方向にガタつきなく装着されるようになっている。図示の例では、アームレストＲの下部ＲｂはシートＳに対して接合されるアームレストＲの基部Ｒｄ側に向かうに連れて下方に近づくように傾斜しており、本体部１の下側当接部１３はこの傾斜に倣った傾斜を持つように構成されている。
【００２１】
上側当接部１４の上面１４ｂは物品保持部２の上面、つまり、前記凹状部２ｂの開放縁と同面をなしている。また、左右の側板部１７、１７の外面１７ａは物品保持部２の外周面２ｃに連なっており、これにより本体部１の前端１２に前記円筒状体２ａによって構成された物品保持部２が一体化されている。
【００２２】
この実施の形態にあっては、本体部１の左右寸法よりも物品保持部２の左右寸法が大きくなっている。（図４）具体的には、本体部１の左右寸法よりも物品保持部２を構成する前記円筒状体２ａの外径が大きくなっている。それと共に、本体部１におけるアームレストＲを備えたシートＳの着座側に位置される内側面１８（図示の例では、本体部１の右側の側板部１７の外面１７ａ）より内方に物品保持部２のシートＳの着座側に位置される内側面２ｄが大きく突き出さないようになっている。すなわち、この実施の形態にあっては、本体部１の外側面（図示の例では、本体部１の左側の側板部１７の外面１７ａ）を含む仮想の平面よりも外方に物品保持部２の前記内側面２ｄに対向する外側面が位置されるようになっている。これにより、この実施の形態にあっては、物品保持装置Ｈにおける物品保持部２がシートＳに着座する際などにできるだけ邪魔にならないようになっている。
【００２３】
また、この実施の形態にあっては、前記下側当接部１３に、前記回動によりアームレストＲ側に備えられた被係合部４に係合される係合部３が備えられている。これにより、この実施の形態にあっては、アームレストＲに対する物品保持装置Ｈの装着状態を強固に維持できるようになっている。かかる係合部３は、前記上側当接部１４にのみ備えるようにすることもでき、また、下側当接部１３及び上側当接部１４の双方に備えさせておくこともできる。
【００２４】
この実施の形態にあっては、前記被係合部４は、係合部３の一部の受入部４ａを有し、この一部の受入部４ａへの受け入れを弾性変形によって許容すると共に、受け入れきった位置での弾性復帰により前記一部に係合するようになっている。これとは逆に、図示は省略するが、このような受入部を係合部に設け、この受入部に被係合部の一部が受け入れられるようにしても良い。
【００２５】
図示の例では、係合部３は、本体部１の下側当接部１３の上面より上方に向けて突き出すストライカ体３ｂとして構成されている。かかるストライカ体３ｂは前後方向に長い板状をなすと共に、その突きだし端Ｒａ側の板厚さを基部側より大きくするようにして構成された頭部３ｃを有している。
【００２６】
一方、被係合部４は、筒下端を開放させると共に、この開放箇所から前記係合部３を受け入れる角筒状をなすラッチ部材４ｂによって構成されている。かかるラッチ部材４ｂは、前記開放箇所を巡るフランジ部４ｃを有すると共に、前後の側部に外側係合爪４ｄを、左右の側部に内側係合突部４ｅを有している。外側係合爪４ｄの形成部分及び内側係合突部４ｅの形成部分はいずれも弾性変形可能に構成されている。かかるラッチ部材４ｂは、典型的には、合成樹脂によって構成される。図示の例では、アームレストＲは中空に構成されている。そして、このアームレストＲの下部Ｒｂであって、前記回動操作により下側当接部１３に当接される箇所に形成された貫通孔Ｒｅを使ってアームレストＲにラッチ部材４ｂが内蔵されるようになっている。かかる貫通孔Ｒｅはラッチ部材４ｂの横断面の外郭形状に倣った方形孔となっていると共に、その前後寸法をラッチ部材４ｂの前後の外側係合爪４ｄ、４ｄの突き出し端間の寸法よりもやや小さくしている。また、ラッチ部材４ｂのフランジ部４ｃはかかる貫通孔Ｒｅに入り込まない大きさを持っている。これにより、ラッチ部材４ｂは筒上端を先にして外側係合部３の形成箇所を弾性変形させながらフランジ部４ｃがアームレストＲの下部Ｒｂの外面に突き当たる位置まで前記貫通孔Ｒｅに導入でき、そしてこの導入終了位置での外側係合部３の形成箇所の弾性復帰によりラッチ部材４ｂはフランジ部４ｃとこの外側係合部３との間で貫通孔Ｒｅの孔縁を内外から挟み込んでアームレストＲに取り付けられるようになっている。図中符号５で示されるのは、アームレストＲ内に配されるラッチ部材４ｂの受け座部材である。
【００２７】
一方、ラッチ部材４ｂの左右の内側係合突部４ｅ、４ｅ間の寸法は前記ストライカ体３ｂの頭部３ｃの左右寸法よりもやや小さくなっている。これにより、前記のように斜めにした本体部１内にアームレストＲを導入した状態からの略水平位置に向けたこの本体部１の回動操作により、ストライカ体３ｂは内側係合部３の形成箇所を弾性変形させながらラッチ部材４ｂの開放箇所よりこのラッチ部材４ｂ内に導入でき、そして前記回動操作の終了位置での内側係合部３の形成箇所の弾性復帰により内側係合部３がストライカ体３ｂの頭部３ｃにこの頭部３ｃの下方において引っかかった状態、つまり、係合部３と被係合部４とが係合された状態が作り出されるようになっている。（図３）
【符号の説明】
【００２８】
Ｒ  アームレスト
Ｒｂ  下部
Ｒｃ  上部
１  本体部
１０  後端
１１  受け入れ開放部
１２  前端
１３  下側当接部
１４  上側当接部
１５  上部開放部
２  物品保持部
【図１】
2014065360.tif 000003
【図２】
2014065360.tif 000004
【図３】
2014065360.tif 000005
【図４】
2014065360.tif 000006
【図５】
2014065360.tif 000007
【図６】
2014065360.tif 000008
【図７】
2014065360.tif 000009
【図８】
2014065360.tif 000010